(57)【要約】【課題】電子カメラの総稼働時間を少なく抑えることで電池の消費を抑えながら、ＤＰＯＦなどの連続印刷を可能とする。【解決手段】電子カメラとプリンタとを接続したプリントシステムにおいて、前記電子カメラは、前記プリンタに対して画像情報を転送する転送手段と、前記プリンタから送信される１ページごとのプリント終了情報を受信する受信手段と、前記画像情報の転送後前記カメラの少なくとも一部の電力供給を停止させると共に、当該プリント終了情報受信後に前記電力供給を再開する電力制御手段とを備え、前記プリンタは、前記画像情報をプリントする際に、１ページごとにプリント終了情報を送信する送信手段を備える。【選択図】      図１
2006166031.tif 000002
【特許請求の範囲】
【請求項１】
撮像装置と印刷装置とを接続した印刷システムにおいて、
前記撮像装置は、
前記印刷装置に対して画像データを転送する転送手段と、
前記印刷装置において、単位ページあたりの印刷が終了したか判定する判定手段と、
前記画像データの転送後前記撮像装置の少なくとも一部の電力供給を停止させると共に、当該印刷終了判定後に前記電力供給を再開する制御手段とを備え、
前記印刷装置は、
前記画像データを単位ページごとに印刷する印刷手段を備えることを特徴とする印刷システム。
【請求項２】
前記印刷装置は、前記画像データを印刷する際に、単位ページごとに印刷終了情報を前記撮像装置に送信する送信手段を備え、
前記判定手段は、前記印刷装置から前記印刷終了情報を受信すると、前記単位ページあたりの印刷が終了したと判定することを特徴とする請求項１に記載の印刷システム。
【請求項３】
前記判定手段は、前記画像データの転送後所定時間経過したときに、前記単位ページあたりの印刷が終了したと判定することを特徴とする請求項１に記載の印刷システム。
【請求項４】
前記印刷装置は、前記画像データを複数ページにわたって連続して印刷する連続印刷モードを備え、
前記撮像装置は、前記印刷装置に単位ページごとに画像データを転送すると共に、転送済みの画像データのページ数を記憶する記憶手段を備え、
前記転送手段は、前記電力供給が再開された後、前記記憶手段から取得したページ数の次のページから順次印刷装置に画像データを転送することを特徴とする請求項１乃至３のいずれか１項に記載の印刷システム。
【請求項５】
画像データを印刷装置に転送する撮像装置であって、
前記印刷装置に対して画像データを転送する転送手段と、
前記印刷装置において、単位ページあたりの印刷が終了したか判定する判定手段と、
前記画像データの転送後前記撮像装置の少なくとも一部の電力供給を停止させると共に、当該印刷終了判定後に前記電力供給を再開する制御手段とを備えることを特徴とする撮像装置。
【請求項６】
前記判定手段は、前記印刷装置から送信される単位ページごとの印刷終了情報を受信すると、前記単位ページあたりの印刷が終了したと判定することを特徴とする請求項５に記載の撮像装置。
【請求項７】
前記判定手段は、前記画像データの転送後所定時間経過したときに、前記単位ページあたりの印刷が終了したと判定することを特徴とする請求項５に記載の撮像装置。
【請求項８】
前記撮像装置は、前記印刷装置に単位ページごとに画像データを転送すると共に、転送済みの画像データのページ数を記憶する記憶手段を備え、
前記転送手段は、前記電力供給が再開された後、前記記憶手段から取得したページ数の次のページから順次印刷装置に画像データを転送することを特徴とする請求項５乃至７のいずれか１項に記載の撮像装置。
【請求項９】
撮像装置から転送された画像データを印刷する印刷装置であって、
前記画像データの印刷時に、単位ページあたりの印刷が終了したことを示す印刷終了情報を送信する送信手段を備えることを特徴とする印刷装置。
【請求項１０】
撮像装置から転送された画像データを印刷する印刷装置であって、
前記撮像装置から画像データを受信する受信手段と、
前記受信した画像データの単位ページあたりの印刷が終了したか判定する判定手段と、
前記画像データの転送後前記撮像装置の少なくとも一部の電力供給を停止させると共に、当該印刷終了判定後に前記電力供給を再開する制御手段とを備えることを特徴とする印刷装置。
【請求項１１】
撮像装置と印刷装置とを接続した印刷システムにおける印刷方法であって、
前記撮像装置は、
前記印刷装置に対して画像データを転送する転送工程と、
前記印刷装置において、単位ページあたりの印刷が終了したか判定する判定工程と、
前記画像データの転送後前記撮像装置の少なくとも一部の電力供給を停止させると共に、当該印刷終了判定後に前記電力供給を再開する制御工程とを備え、
前記印刷装置は、
前記画像データを単位ページごとに印刷する印刷工程を備えることを特徴とする印刷方法。
【請求項１２】
画像データを印刷装置に転送する撮像装置の制御方法であって、
前記印刷装置に対して画像データを転送する転送工程と、
前記印刷装置において、単位ページあたりの印刷が終了したか判定する判定工程と、
前記画像データの転送後前記撮像装置の少なくとも一部の電力供給を停止させると共に、当該印刷終了判定後に前記電力供給を再開する制御工程とを備えることを特徴とする制御方法。
【請求項１３】
撮像装置から転送された画像データを印刷する印刷装置の制御方法であって、
前記画像データの印刷時に、単位ページあたりの印刷が終了したことを示す印刷終了情報を送信することを特徴とする制御方法。
【請求項１４】
撮像装置から転送された画像データを印刷する印刷装置の制御方法であって、
前記撮像装置から画像データを受信する受信工程と、
前記受信した画像データの単位ページあたりの印刷が終了したか判定する判定工程と、
前記画像データの転送後前記撮像装置の少なくとも一部の電力供給を停止させると共に、当該印刷終了判定後に前記電力供給を再開する制御工程とを備えることを特徴とする制御方法。
【請求項１５】
請求項１１乃至１４のいずれか１項に記載の方法を前記撮像装置若しくは前記印刷装置を制御するコンピュータに実行させるためのプログラム。
【請求項１６】
請求項１５に記載のプログラムを記憶したことを特徴とするコンピュータ可読記憶媒体。
【発明の詳細な説明】
【技術分野】
【０００１】
本発明は、デジタルカメラなどの撮像装置とプリンタなどの印刷装置とを接続した印刷システムに関する。
【背景技術】
【０００２】
電子カメラで撮影して蓄積された画像は通信ケーブルで一旦パーソナルコンピュータに転送したり、着脱可能な記憶媒体ごと電子カメラから取り出すなどして、電子カメラを介在させないでプリンタに画像情報だけを取り込ませてプリントする場合と、電子カメラとプリンタとを通信手段を介して接続してプリントを行う場合がある。一般に後者をダイレクトプリントと呼ぶ。
【０００３】
一方、画像を確認しながらプリントする画像を選択するという機能を搭載した電子カメラも一般的となり、記憶媒体に格納するプリント指定ファイルもＤＰＯＦという標準規格で定義されている。ＤＰＯＦなどを利用してプリントする画像を複数選択した後にダイレクトプリントをするといった使い方が一般的である。
【０００４】
プリンタと電子カメラ間のプロトコルの抽象度も製品ごとに異なっており、プリンタの色分解処理やヘッド制御までの処理を電子カメラで行う場合と、ＪＰＥＧ圧縮されたファイルをプリンタに転送するだけのものもある。一般にプロトコルの抽象度が高いほうが互換性のある製品群を開発しやすい。
【特許文献１】特開平１１−８８７４４号公報
【発明の開示】
【発明が解決しようとする課題】
【０００５】
ところが、抽象度が高いプロトコルを採用した場合、１枚のＪＰＥＧ画像を転送してからプリント終了までの間のほとんどの時間は電子カメラがプリント終了待ち状態になる。例えば、１枚の画像の転送にかかる時間は数秒程度なのに対して１枚のプリント時間は数分程度必要になる。
【０００６】
一方、電子カメラの主処理部となるブロックは電子カメラの高機能化に伴い、高機能なＣＰＵや画像処理回路に対して高速なクロックが供給されており、電池の残容量は稼働時間に比例して減少する。従って、できるだけ稼働時間を少なく抑える必要があり、一定時間操作がないと自動的に電源をＯＦＦ状態にするオートパワーオフなどの機能も存在する。
【０００７】
従来のダイレクトプリント時の電子カメラは、特許文献１に記載されているように、プリント終了まで電子カメラが待機している時間にオートパワーオフが起動しないように構成されていた。
【０００８】
本発明は、電子カメラの総稼働時間を少なく抑えることにより、電池の消費を抑えながら、ＤＰＯＦなどの連続印刷を可能とするものである。
【課題を解決するための手段】
【０００９】
上記目的を達成するため、本発明に係る第１の態様によれば、撮像装置と印刷装置とを接続した印刷システム又は印刷方法において、前記撮像装置は、前記印刷装置に対して画像データを転送する転送手段又は工程と、前記印刷装置において、単位ページあたりの印刷が終了したか判定する判定手段又は工程と、前記画像データの転送後前記撮像装置の少なくとも一部の電力供給を停止させると共に、当該印刷終了判定後に前記電力供給を再開する制御手段又は工程とを備え、前記印刷装置は、前記画像データを単位ページごとに印刷する印刷手段又は工程を備える。これにより、印刷終了待ち時間の間、撮像装置の電力消費を抑えることができる。
【００１０】
上記第１の態様において、前記印刷装置は、前記画像データを印刷する際に、単位ページごとに印刷終了情報を前記撮像装置に送信する送信手段又は工程を備え、前記判定手段又は工程は、前記印刷装置から前記印刷終了情報を受信すると、前記単位ページあたりの印刷が終了したと判定する。これにより、印刷終了を印刷装置からの印刷終了通知により判定することができる。
【００１１】
また、上記第１の態様において、前記判定手段又は工程は、前記画像データの転送後所定時間経過したときに、前記単位ページあたりの印刷が終了したと判定する。これにより、印刷装置からの印刷終了通知を受けなくとも、印刷終了を判定することができる。
【００１２】
また、上記いずれかの態様において、前記印刷装置は、前記画像データを複数ページにわたって連続して印刷する連続印刷モードを備え、前記撮像装置は、前記印刷装置に単位ページごとに画像データを転送すると共に、転送済みの画像データのページ数を記憶する記憶手段を備え、前記転送手段又は工程は、前記電力供給が再開された後、前記記憶手段から取得したページ数の次のページから順次印刷装置に画像データを転送する。これにより、印刷終了待ち時間の間撮像装置の電力消費を抑えることができ、かつ連続印刷を正しく行うことができる。
【００１３】
また、本発明に係る第２の態様によれば、画像データを印刷装置に転送する撮像装置又はその制御方法であって、前記印刷装置に対して画像データを転送する転送手段又は工程と、前記印刷装置において、単位ページあたりの印刷が終了したか判定する判定手段又は工程と、前記画像データの転送後前記撮像装置の少なくとも一部の電力供給を停止させると共に、当該印刷終了判定後に前記電力供給を再開する制御手段又は工程とを備える。これにより、印刷終了待ち時間の間、撮像装置の電力消費を抑えることができる。
【００１４】
また、本発明に係る第３の態様によれば、撮像装置から転送された画像データを印刷する印刷装置又はその制御方法であって、前記画像データの印刷時に、単位ページあたりの印刷が終了したことを示す印刷終了情報を送信する送信手段又は工程を備える。これにより、印刷終了を印刷終了情報により撮像装置に通知することができる。
【００１５】
また、本発明に係る第４の態様によれば、撮像装置から転送された画像データを印刷する印刷装置又はその制御方法であって、前記撮像装置から画像データを受信する受信手段又は工程と、前記受信した画像データの単位ページあたりの印刷が終了したか判定する判定手段又は工程と、前記画像データの転送後前記撮像装置の少なくとも一部の電力供給を停止させると共に、当該印刷終了判定後に前記電力供給を再開する制御手段又は工程とを備える。これにより、印刷装置側での印刷終了のタイミングで撮像装置の電力供給再開が可能となるため、電力供給停止時間を効率的に管理できる。
【００１６】
なお、上記いずれかの方法を前記撮像装置若しくは前記印刷装置を制御するコンピュータに実行させるためのプログラムや当該プログラムを記憶したコンピュータ可読記憶媒体も本発明に含まれる。
【発明の効果】
【００１７】
以上説明したように、本発明によれば、印刷装置による印刷動作中に撮像装置側の少なくとも一部の電力供給を停止させることにより、撮像装置の電力消費を低く抑えることが可能となる。
【発明を実施するための最良の形態】
【００１８】
以下に、添付図面を参照して本発明の好適な実施形態について詳細に説明する。
【００１９】
尚、以下に説明する実施の形態は、本発明の実現手段としての一例であり、本発明が適用される装置の構成や各種条件によって適宜修正又は変更されるべきものであり、本発明は以下の実施の形態に限定されるものではない。
【００２０】
また、本発明は、後述する実施形態である電子カメラの機能を実現するソフトウェアやファームウェアのプログラムコードを、それを記憶した記憶媒体（または記録媒体）やネットワークを介した通信により電子カメラに供給し、そのコンピュータ（またはCPUやMPU）が記憶媒体に格納されたプログラムコードを読み出し実行することによっても、達成されることは言うまでもない。この場合、記録媒体から読み出されたプログラムコード自体が後述する実施形態の機能を実現することになり、そのプログラムコードを記録した記録媒体は本発明を構成することになる。尚、本実施形態は、複数の機器（例えば、ホストコンピュータ、インタフェース機器、リーダ、プリンタ等）から構成されるシステムに適用しても、一つの機器からなる装置に適用してもよい。
［第１の実施形態］
図１は、本発明に係る実施形態の印刷システムを概略的に示す図である。
【００２１】
図１において、３００は電子カメラ（撮像装置）、３０２はプリンタ（印刷装置）、３０１は電子カメラ３００とプリンタ３０２とを接続している通信ケーブルである。そして、図示のシステムは、電子カメラ３００とプリンタ３０２とを通信ケーブル３０１で接続することにより、電子カメラ３００で撮影した画像をプリンタ３０２に転送して直接印刷するものである。
【００２２】
図２は、本発明に係る実施形態のプリントシステムのブロック図である。
【００２３】
図２において、２０は電子カメラ、２１は電子カメラ２０と通信ケーブルで接続されたプリンタである。
【００２４】
１は画像を取り込むための撮像素子で、ＣＣＤやＣＭＯＳセンサーからなる。２は撮像素子１から出力されるアナログ画像信号をデジタル信号に変換するＡ／Ｄコンバータ、８は電子カメラ２０の主な制御を行うメインＣＰＵ。９はメインＣＰＵ８によって撮像素子１やＡ／Ｄコンバータ２を制御するドライバ、３はメインＣＰＵ８で実行される制御プログラムが格納されているＲＯＭ。７はメインＣＰＵ８のバスに接続されたＲＡＭ。４はＲＡＭ７の一部に格納された表示用ＶＲＡＭ領域を表示する液晶ユニット。１０はプリンタ２１と通信を行うための通信デバイス。１１は電子カメラ２０の各部へ電源を供給する電源コントローラ。１２は電子カメラ２０の電源である電池。６はメインＣＰＵ８に接続され、協調動作を行うサテライトマイコン。５はユーザーの操作を受け付ける押しボタンなどの操作部材。１５は撮影した画像を格納するメモリーカードである。
【００２５】
一方、プリンタ２１において、１３は電子カメラ２０と接続して情報のやりとりを行う通信デバイス。１４はプリンタ２１の処理を行うメインＣＰＵである。なお、プリンタ２１は印刷用ヘッドや紙送り機構など様々な周知のブロックによって構成されているが、本発明に対する関連性が低いため、ここでの説明は省略する。
［撮影］
次に、電子カメラ２０が撮影動作を行う場合の主な制御を説明する。
【００２６】
メインＣＰＵ８はＲＯＭ３に格納された制御プログラムによって動作しており、このプログラムは撮影を行う際、ＣＣＤドライバ９を制御し、撮像素子１からのアナログ信号をＡ／Ｄコンバータ２でデジタル信号に変換した後、メインＣＰＵ８のバスに接続されたＲＡＭ７に格納する。ＲＡＭ７に格納されたデジタルデータはそのままでは画像として扱えないため、メインＣＰＵ８によって画像信号処理およびＪＰＥＧ圧縮が行われて、メモリーカード１５に転送されると同時に、信号処理済み画像がＲＡＭ７の一部に設けられたＶＲＡＭ領域にも転送される。ＲＡＭ７の一部に設けられたＶＲＡＭは液晶表示ユニット４によって画像として表示される。
［サテライトマイコン］
電子カメラ２０は操作部材５に設けられた電源ＳＷをＯＮにすることによって電源が投入される。操作部材５の操作は、サテライトマイコン６によって読み取られ解釈される。サテライトマイコン６は電池１２から直接電力供給を受け、操作部材５を常に監視している。サテライトマイコン６は低消費電力のワンチップマイコンで構成されており、およそ十数マイクロアンペアから数十マイクロアンペアほどの電流しか流れないため電源ＯＦＦ状態におけるＳＷ操作の監視に適している。また、メインＣＰＵ８の電源がＯＦＦ状態の時にメインＣＰＵ８で保持したい情報の一部を預かり保持するといった機能も持っている。これによって電源ＯＦＦの状態でも電子カメラ２０の動作状態を保持することが可能となる。
［電源コントローラ］
電源コントローラ１１はサテライトマイコン６によって制御され、電子カメラ２０の各部の電源供給を制御する。電源は撮像系、通信、メインＣＰＵなど、大電流が流れる大きなブロックごとに個別に制御可能であり、操作部材５の電源ＳＷがＯＦＦ状態の時にはどこにも電力供給が行われていない。
【００２７】
また、電源コントローラ１１は、プリンタ２１への画像の転送が終了すると、電子カメラ２０の少なくとも一部の電源供給を停止する省電力モードに移行し、プリンタ２１からのページごとのプリント終了の通知に応じて再起動（wake-up）する。
［プリント画像の選択］
メモリーカード１５に格納されている画像からプリントしたい画像を選択するときはメインＣＰＵ８によってメモリーカード１５から画像が読み出されてＲＡＭ７の一部のＶＲＡＭ領域に置かれる。それに加えてＲＯＭ３に格納されたグラフィカルユーザーインターフェース画面もＶＲＡＭ７へ置かれる。ユーザーは操作部材５を通じてグラフィカルユーザーインターフェースを扱い、プリントしたい画像を選択していく。この動作の際には撮像系の電源の供給は行わずにメインＣＰＵ８を中心とした処理系のみに電力が供給される。
［ＤＰＯＦ］
選択した画像はＤＰＯＦという標準規格フォーマットに変換され、メモリーカード１５に格納される。図３はＤＰＯＦファイルの一例である。ファイルはテキストファイルとして記述されており、プリントする画像ファイルの所在などが記載されている。複数の画像ファイルが１つのファイルに記述できることが特徴である。
［連続プリント］
プリントを行う場合には、サテライトマイコン６は電源コントローラ１１を通じて通信デバイス１０とメインＣＰＵ８に電力を供給する。ＣＣＤドライバ９や撮像系のデバイスには電力供給は行わない。メインＣＰＵ８はメモリーカード１５から上記ＤＰＯＦファイルを読み出し、記載されているファイルを通信デバイス１０を通じてプリンタ２１へ転送する。プリンタ２１は通信デバイス１３で受け取った画像をメインＣＰＵ１４で処理し、プリントを行う。
【００２８】
以下に、上記一連の動作を図４のフローチャートを参照して説明する。
【００２９】
先ず、ステップS100で印刷を開始する。ステップS101では印刷するファイルの情報を格納した配列のインデックスを示す変数を０に初期化する。ステップS102では図２のメモリーカード１５からＤＰＯＦファイルを配列に読み込む。ステップS103ではIndexが配列の最後を示していないか判断し、もし配列の最後の要素を示していたならばステップS112へ分岐し、操作待ちの待機状態へ戻る。
【００３０】
一方、最後の１枚でなければステップS104に進み、配列のIndex番目の画像をプリンタへ転送する。プリンタへの転送は数秒程度で終了する。次に、ステップS105でIndexをサテライトマイコン６へ転送し、ステップS106で電源をＯＦＦにする。そして、プリンタ２１は数分程度かけて画像をプリントする。このIndex番目の画像の転送を終了したときに、少なくとも図２のメインＣＰＵ８への電力供給は停止させ、通信デバイス１０には電力が供給された省電力（sleep）モードに移行させ、プリンタ２１からの１ページごとのプリント終了通知をサテライトマイコン６によって監視可能となっている。そして、プリンタ２１からの上記プリント終了通知に応じて電力供給を再開してメインＣＰＵ８を再起動（wake-up）させる。なお、上記省電力モードは、ＬＣＤ４のバックライトを消灯して、メディアへのアクセスは可能な状態としても良いし、完全にスリープ（sleep）させても良い。完全にスリープさせる場合には、スリープさせる前にプリントジョブと、そのジョブにおいてどのIndexの画像をプリント中なのか（ページ数）を不揮発性メモリ等に記憶させてからスリープさせるように制御する。
【００３１】
このように、画像をプリントしている間は電子カメラ２０の電源はＯＦＦ状態なので非常に低消費電力で待機できる。そして、プリンタ２１が画像をプリントし終わった場合、プリンタ側のメインＣＰＵ１４が通信デバイス１３を通じて電子カメラ２０へプリント終了を通知する。その結果、サテライトマイコン６が通信再開を検知し、電源コントローラ１１はメインＣＰＵ８を含む各ブロックへの電力供給を再開する。そして、メインＣＰＵ８での処理は、図４のステップS107の電源ＯＮの状態から再開される。
【００３２】
ステップS107ではＯＳを含むメインＣＰＵ８の起動処理が行われ、ステップS108でサテライトマイコン６と通信を行い、起動要因を取得する。これによってプリンタ２１から起動したのか通常の操作部材５である電源ＳＷによって起動したのかを判別する。ステップS109で起動要因がプリンタ２１によるものでなければステップS112の通常の操作待ち状態へ移行する。ステップS109でプリンタからの起動ならばステップS110へ移行する。
【００３３】
ステップS110では、ステップS105で省電力モード移行前にサテライトマイコン６に転送したプリントジョブのIndexをサテライトマイコン６から取得し、ステップS111でIndexをインクリメントする。そして、ステップS101でＤＰＯＦファイルの情報を読み出し配列へ格納する。ステップS103でIndexの値がＤＰＯＦファイルから読み出したファイルの総数を超えていたら、すでにＤＰＯＦファイルに記載されているファイルを全てプリントしたことになるのでステップS112へ分岐し、操作待ちの待機状態となる。ステップS103でまだ最後のプリントを終えていない場合はステップS104に移行し、配列のIndex番目の画像をプリンタへ転送し、ステップS105でIndex値をサテライトマイコン６へ転送し、プリント中はステップS106で電源ＯＦＦとなる（省電力モードに移行する）。そして、プリンタ２１でのプリントが終了すると再び電源が投入されて省電力モードから復帰し、ステップS107からの処理を再開し、最後の画像のプリント出力が終わるまで繰り返される。
【００３４】
上記第１の実施形態ではＤＰＯＦでの連続プリントの例を説明したが、１枚だけのプリントでも処理はまったく同様である。
【００３５】
また、上記実施形態では、１ページごとのプリント終了通知で省電力モードに移行する例を説明したが、１ページに限らず、数ページを単位ページとしても良し、また、この単位ページを可変としても良い。これは、プリントすべき１ページ当たりの情報量が少なく、電子カメラの操作性を維持し、制御を簡素化する場合に有効である。
【００３６】
以上の実施形態によれば、プリンタ２１によるプリント動作中に電子カメラ２０側の少なくとも一部の電力供給を停止させることにより、電子カメラ２０の電力消費を低く抑えることが可能となる。
【００３７】
また、複数ページにわたって連続してプリントする際に、省電力モード移行時に何枚目までプリントし終わったかを示す情報を不揮発性メモリ等に記憶させることにより、複数枚を連続してプリントするモードであっても電子カメラの電源をＯＦＦ状態にすることが可能となり、更なる低消費電力化が可能となる。
［第２の実施形態］
第２の実施形態は、第１の実施形態に対して、図２のサテライトマイコン６からの起動要因が異なっている。
【００３８】
図５は第２の実施形態のメインＣＰＵのプログラム処理を示すフローチャートであり、ステップS200からS205までの処理は図４のフローチャートのS100からS105までとまったく同一である。そして、ステップS205でIndexをサテライトマイコン６に転送した後にステップS220でサテライトマイコン６にアラーム設定を行う部分が異なる。即ち、プリントする用紙サイズによって、おおよそのプリント時間が演算できるため、プリント終了時間に合わせて電子カメラ２０を再起動するように制御する。
【００３９】
具体的には、ステップS206で電源をＯＦＦにするが、本実施形態では通信デバイス１０にも電力を供給する必要がなくなる。サテライトマイコン６は設定されたアラーム時刻になるとメインＣＰＵ８の電力供給を再開する。メインＣＰＵ８はステップS208でサテライトマイコン６から起動要因を取得し、ステップS209でアラームによる起動でなければステップS212で通常の操作待ちの待機状態へ移行し、アラームによる起動の場合はステップS210へ移行し、ステップS210からは図４のステップS110と同様の処理を行う。
【００４０】
以上の実施形態によれば、プリント終了時間を予測し、タイマーがカウントアップした時点で起動させることにより、通信デバイスへの電力供給も必要なくなり、さらなる省電力化が可能となる。
［他の実施形態］
上記第１及び第２の実施形態では電子カメラ２０とプリンタ２１とを有線の通信ケーブル３０１で接続しているが、無線の通信デバイスで構成しても同様の効果が得られる。
【００４１】
また、第１及び第２の実施形態では電子カメラ２０内部に低消費電力で動作するサテライトマイコン６を搭載してメインＣＰＵ８の起動処理を行っているが、プリンタ２１からのダイレクトな電源ＯＮコントロールが可能な電気回路やタイマーからの起動回路を用いても同様の効果が得られる。このように、プリンタ側から電子カメラの電源をＯＮすることが可能な構成にすることにより、プリンタ側でのプリント終了のタイミングで再起動が可能となり、電源ＯＦＦの時間を効率的に管理できる。
【００４２】
さらに、第１及び第２の実施形態ではＤＰＯＦによる連続プリントを実行しているが、その他の記憶手段に適用した場合でも同様の効果が得られる。
【図面の簡単な説明】
【００４３】
【図１】本発明に係る実施形態のプリントシステムを概略的に示す図である。
【図２】本発明に係る実施形態のプリントシステムのブロック図である。
【図３】ＤＰＯＦファイルの一例を示す図である。
【図４】第１の実施形態のメインＣＰＵのプログラム処理を示すフローチャートである。
【図５】第２の実施形態のメインＣＰＵのプログラム処理を示すフローチャートである。
【符号の説明】
【００４４】
１  撮像素子
２  Ａ／Ｄコンバータ
３  ＲＯＭ
４  ＬＣＤ表示ユニット
５  操作部材
６  サテライトマイコン
７  ＲＡＭ
８  メインＣＰＵ
９  ＣＣＤドライバ
１０  通信デバイス
１１  電源コントローラ
１２  電池
１３  プリンタ側通信デバイス
１４  プリンタ側メインＣＰＵ
１５  メモリーカード
２０  電子カメラ
２１  プリンタ
【図１】
2006166031.tif 000003
【図２】
2006166031.tif 000004
【図３】
2006166031.tif 000005
【図４】
2006166031.tif 000006
【図５】
2006166031.tif 000007